(57)【要約】      （修正有）【課題】重りの少なくとも一個の結合表面には少なくとも一個の制震部が形成され、そして上記結合表面はヘッド本体の組立孔に対応するように形成されることにより、制震の能力を高めることができると共に、打球の異音を減らすことができる。【解決手段】ヘッド本体１および重り２が含まれる。ヘッド本体１には少なくとも一個の組立孔１１が形成され、組立孔１１は重り２と結合するのに用いられる。重り２には頭部２１、桿部２２と制震部が形成される。頭部２１と桿部２２の内の一個に制震部が設けられ、そして上記制震部は部分的に重り２の少なくとも一個の結合表面に形成され、さらに上記結合表面はヘッド本体１の組立孔１１に対応するように構成されている。【選択図】図２
0003133243.tif 000002
【実用新案登録請求の範囲】
【請求項１】
ヘッド本体（１）、少なくとも一個の重り（２）および少なくとも一個の制震部が含まれるゴルフクラブヘッドの制震構造であって、ヘッド本体（１）には少なくとも一個の組立孔（１１）が形成され、少なくとも一個の重り（２）はヘッド本体（１）の組立孔（１１）に結合され、重り（２）にはそれぞれ頭部（２１）と桿部（２２）が形成され、重り（２）には少なくとも一個の結合表面が形成され、上記結合表面はヘッド本体（１）の組立孔（１１）に対応するように形成され、上記少なくとも一個の制震部は部分的に重り（２）の上記結合表面に形成されることを特徴とするゴルフクラブヘッドの制震構造。
【請求項２】
頭部（２１）には複数個の収容孔（２１２）が形成され、さらに上記制震部には複数個の柱状制震部（２１３）が含まれ、柱状制震部（２１３）は重り（２）の収容孔（２１２）の内に形成されることを特徴とする請求項１記載のゴルフクラブヘッドの制震構造。
【請求項３】
上記制震部には一個のフランジ制震部（２１４）が含まれ、フランジ制震部（２１４）は重り（２）の頭部（２１）の底部に形成されることを特徴とする請求項１記載のゴルフクラブヘッドの制震構造。
【請求項４】
上記制震部には一個の環状制震部（２２１）が含まれ、環状制震部（２２１）は重り（２）の桿部（２２）の外周縁に形成されることを特徴とする請求項１記載のゴルフクラブヘッドの制震構造。
【請求項５】
環状制震部（２２１）の外周縁には一組の外ねじが形成され、そして重り（２）は選択的にボルトの本体からなり、ヘッド本体（１）の組立孔（１１）には重り（２）に対応するように一組の内ねじが形成されることを特徴とする請求項４記載のゴルフクラブヘッドの制震構造。
【請求項６】
重り（２）の頭部（２１）には解栓部（２１１）が形成され、解栓部（２１１）により重り（２）をヘッド本体（１）に結合することを特徴とする請求項１記載のゴルフクラブヘッドの制震構造。
【請求項７】
上記制震部は選択的にポリエチレン制震部、ポリプロピレン制震部、ポリスチレン制震部、ポリエステル樹脂制震部、ポリカーボネート制震部、ナイロン樹脂制震部、フルオロカーボン制震部、ポリアセタール制震部、エポキシ樹脂制震部、不飽和のポリエステル樹脂制震部、ポリウレタン制震部、熱可塑性エラストマー制震部または熱可塑性ポリウレタン制震部からなることを特徴とする請求項１記載のゴルフクラブヘッドの制震構造。
【請求項８】
収容孔（２１２）は選択的に重り（２）の頭部を貫穿するように形成されることを特徴とする請求項２記載のゴルフクラブヘッドの制震構造。
【請求項９】
収容孔（２１２）は選択的に重り（２）の頭部を貫穿しないように形成されることを特徴とする請求項２記載のゴルフクラブヘッドの制震構造。
【請求項１０】
ヘッド本体（１）の組立孔（１１）は選択的にヘッド本体（１）のソール部、側部、背部、トー部またはヒール部の部位に設けられることを特徴とする請求項１記載のゴルフクラブヘッドの制震構造。
【考案の詳細な説明】
【技術分野】
【０００１】
本考案は、ゴルフクラブヘッドの制震構造に関するもので、特に重りの少なくとも一個の結合表面において制震部を形成し、上記結合表面はヘッド本体の組立孔に対応することにより、打球の振動を吸収することができるゴルフクラブヘッドの制震構造に係るものである。
【背景技術】
【０００２】
従来のゴルフクラブヘッドの制震構造の構造としては、ヘッド本体、少なくとも一個の抵抗部材および振動吸収部材が含まれる。上記ヘッド本体には少なくとも一個の組立孔が設けられる。上記抵抗部材には頭部と桿部が設けられ、上記桿部の内には凹部が設けられる。上記振動吸収部材は上記抵抗部材の桿部の凹部の内に収容される。上記抵抗部材は上記桿部と頭部を組み立てて上記ヘッド本体の組立孔の内に結合されることにより、共同でゴルフクラブヘッドを組成する。その内に振動吸収部材はゴルフクラブヘッドの打球の振動を吸収するのに用いられるようにとしたものがある（例えば、特許文献１を参照）。
【特許文献１】中華民国特許番号第I ２５００３９号
【考案の開示】
【考案が解決しようとする課題】
【０００３】
上記のような従来のゴルフクラブヘッドの制震構造においては、一般として下記の問題点を有している。例えば、実際に使用してみると、上記振動吸収部材は上記抵抗部材の桿部の凹部の内に形成されるため、打球時においてゴルフクラブヘッドの打球の振動は先ず上記ヘッド本体の組立孔の内表面から上記抵抗部材の桿部と頭部の外表面（すなわち上記抵抗部材とゴルフクラブヘッドとの各結合表面）まで伝送され、それから上記抵抗部材の内部の振動吸収部材まで伝送され、吸収を完成する。このように、上記打球の振動が上記振動吸収部材により吸収される前、上記ヘッド本体と上記抵抗部材との間にはすでに打球の異音が先に形成されるため、打球音の品質は相対的に低下してしまうという問題点を有している。その他に、上記振動吸収部材は上記抵抗部材の凹部の内に収容されるため、外観上における視覚効果の変化を提供することができないという問題点を有している。このように、上記のような従来のゴルフクラブヘッドの制震構造をさらに改良しなければならない。
【０００４】
本考案はこのような問題点に鑑みて考案したものであって、その目的とするところは、重りに複数個の収容孔が設置され、上記収容孔の内部と上記重りの複数個の結合表面には選択的に複数個の制震部が形成され、そして上記結合表面はヘッド本体の組立孔に対応するように形成され、上記制震部は少なくとも上記ヘッド本体とは部分的に接触し、さらに相対的に比較的大きい接触の面積を有するため、全体の制震の能力を相対的に高めることができる。その他に、上記結合表面に形成される制震部により打球の振動を有効に吸収することができるため、打球の異音が生じるのを避けることができる。また、上記制震部が上記収容孔の表面に露出される部位によりゴルフクラブヘッドの外観上の視覚効果を提供することができるゴルフクラブヘッドの制震構造を提供しようとするものである。
【０００５】
本考案の第一の目的は、重りの少なくとも一個の結合表面には少なくとも一個の制震部が形成され、そして上記結合表面はヘッド本体の組立孔に対応するように形成されることにより、制震の能力を高めることができると共に、打球の異音を減らすことができるゴルフクラブヘッドの制震構造を提供しようとするものである。
【０００６】
本考案の第二の目的は、重りの頭部に複数個の収容孔が設けられ、上記収容孔に複数個の制震部が収容されることにより、振動吸収の能力を高めることができるゴルフクラブヘッドの制震構造を提供しようとするものである。
【０００７】
本考案の第三の目的は、重りの頭部に複数個の収容孔が設けられ、上記収容孔に複数個の制震部が収容され、上記制震部は上記重りの頭部の表面に露出されることにより、全体の視覚効果を高めることができるゴルフクラブヘッドの制震構造を提供しようとするものである。
【課題を解決するための手段】
【０００８】
上記目的を達成するために、本考案によるゴルフクラブヘッドの制震構造は、下記のようになるものである。すなわち、
ヘッド本体、少なくとも一個の重りおよび少なくとも一個の制震部が含まれる。ヘッド本体には少なくとも一個の組立孔が形成される。少なくとも一個の重りはヘッド本体の組立孔に結合され、重りにはそれぞれ頭部と桿部が形成され、重りには少なくとも一個の結合表面が形成され、結合表面はヘッド本体の組立孔に対応するように形成される。少なくとも一個の制震部は部分的に重りの結合表面に形成される。
【０００９】
本考案によるゴルフクラブヘッドの制震構造は、頭部には複数個の収容孔が形成され、さらに制震部には複数個の柱状制震部が含まれ、柱状制震部は重りの収容孔の内に形成されることもできる。また、制震部には一個のフランジ制震部が含まれ、フランジ制震部は重りの頭部の底部に形成されることもできる。また、制震部には一個の環状制震部が含まれ、環状制震部は重りの桿部の外周縁に形成されることもできる。また、環状制震部の外周縁には一組の外ねじが形成され、そして重りは選択的にボルトの本体からなり、ヘッド本体の組立孔には重りに対応するように一組の内ねじが形成されることもできる。また、重りの頭部には解栓部が形成され、解栓部により重りをヘッド本体に結合することもできる。また、制震部は選択的にポリエチレン制震部、ポリプロピレン制震部、ポリスチレン制震部、ポリエステル樹脂制震部、ポリカーボネート制震部、ナイロン樹脂制震部、フルオロカーボン制震部、ポリアセタール制震部、エポキシ樹脂制震部、不飽和のポリエステル樹脂制震部、ポリウレタン制震部、熱可塑性エラストマー制震部または熱可塑性ポリウレタン制震部からなることもできる。また、収容孔は選択的に重りの頭部を貫穿するように形成されることもできる。また、収容孔は選択的に重りの頭部を貫穿しないように形成されることもできる。また、ヘッド本体の組立孔は選択的にヘッド本体のソール部、側部、背部、トー部またはヒール部の部位に設けられることもできる。
【考案の効果】
【００１０】
本考案のゴルフクラブヘッドの制震構造によれば、重りの少なくとも一個の結合表面には少なくとも一個の制震部が形成され、そして上記結合表面はヘッド本体の組立孔に対応するように形成されることにより、制震の能力を高めることができると共に、打球の異音を減らすことができるという利点がある。
【００１１】
本考案のゴルフクラブヘッドの制震構造によれば、重りの頭部に複数個の収容孔が設けられ、上記収容孔に複数個の制震部が収容されることにより、振動吸収の能力を高めることができるという利点がある。
【００１２】
本考案のゴルフクラブヘッドの制震構造によれば、重りの頭部に複数個の収容孔が設けられ、上記収容孔に複数個の制震部が収容され、上記制震部は上記重りの頭部の表面に露出されることにより、全体の視覚効果を高めることができるという利点がある。
【考案を実施するための最良の形態】
【００１３】
本考案の実施の形態について、以下、図面を参照して説明する。
【００１４】
図１、２を参照すると、本考案の実施例のゴルフクラブヘッドの制震構造にはヘッド本体１および少なくとも一個の重り２が含まれる。ヘッド本体１の材質は好ましくは選択的に炭素鋼、ステンレス鋼、合金鋼またはフェロ−マンガン−アルミ合金などの金属材質或いは炭素繊維などの非金属材質からなる。ヘッド本体１は選択的に鋳造、鍛造または機械加工などの適当な方式により製造される。ヘッド本体１は選択的にウッド型ヘッド（図１に示す如く）、アイアン型ヘッド（図２に示す如く）またはパター型ヘッドなどの従来のヘッドの構造からなる。本考案の実施例においては一般的なゴルフクラブヘッドの基本構造を有するため、ここでは再び詳しく叙述しない。ヘッド本体１は適当な位置において、例えばソール部（sole）、側部、背部、トー部（toe）とヒール部（heel）などの部位の少なくとも一個の部位において少なくとも一個の組立孔１１を設置することにより、重り２を組み立てることができる。図１を参照すると、本考案の実施例においてヘッド本体１がウッド型ヘッドからなる場合、組立孔１１は好ましくはヘッド本体１のソール部の後側に形成される。また、図２を参照すると、本考案の実施例においてヘッド本体１がアイアン型ヘッドからなる場合、組立孔１１は好ましくはヘッド本体１の背部に形成される。その他に、組立孔１１の内周縁には好ましくは選択的に内ねじ（標示せず）が形成され、上記内ねじにより対応するように重り２と結合することができる。
【００１５】
図３、４を参照すると、本考案の実施例の重り２は適当な外形を選択してヘッド本体１の組立孔１１と対応するように結合することができる。重り２は好ましくは選択的にボルト本体からなり、すなわち重り２の外形はボルトの形状からなる。重り２はヘッド本体１と同じまたは異なる金属、合金材質または非金属材質により製造され、例えばアルミ、チタン、鋼、タングステン、鉄、ニッケルなどまたはその合金により製造され、その内に鉄合金の場合は選択的に炭素鋼、ステンレス鋼、合金鋼またはフェロ−マンガン−アルミ合金などからなる。重り２の平均比重は製品の需要性に応じてヘッド本体１の平均比重より大きく、同じまたは小さくなるように選択することができる。また、重り２には頭部２１と桿部２２が形成され、頭部２１には少なくとも一個の解栓部２１１、少なくとも一個の収容孔２１２、少なくとも一個の栓状制震部２１３と一個のフランジ制震部２１４が形成される。解栓部２１１は適当な組立用の工具を使用して操作するのに用いられることにより、重り２をヘッド本体１の組立孔１１に組み立てることができる。本考案において、解栓部２１１は好ましくは選択的に各種の解栓孔からなり、例えば一字形、十字形、四方形、多辺形、不規則形または多円孔形などの異なる外形の解栓孔からなるため、重り２をヘッド本体１の組立孔１１に螺設して結合することができる。
【００１６】
図３、４を参照すると、本考案の実施例の収容孔２１２は選択的に頭部２１の上部と底部を貫穿し、そして収容孔２１２の断面は好ましくは円形からなることができる。その他に、本考案においては収容孔２１２は選択的に頭部２１の上部において特定の深さ（すなわち頭部２１を貫穿しない）だけを凹むように設けることができる。また、本考案において収容孔２１２の断面は方形、多辺形または不規則形などの各種の外形から選択することもできる。柱状制震部２１３は収容孔２１２の内に形成され、そしてフランジ制震部２１４は頭部２１の底部に形成され、さらに柱状制震部２１３は選択的にフランジ制震部２１４と連接するようにまたは連接しないように形成することができる。
【００１７】
再び図３、４を参照すると、本考案の実施例の桿部２２には環状制震部２２１が形成され、環状制震部２２１は桿部２２の外周縁を被覆するように環設される。環状制震部２２１の外周縁には好ましくは選択的に外ねじ（図示せず）が形成されることにより、ヘッド本体１の組立孔１１と対応するように結合することができる。また、環状制震部２２１は選択的にフランジ制震部２１４と連接するようにまたは連接しないように形成することができる。このように、柱状制震部２１３、フランジ制震部２１４と環状制震部２２１は共同で制震部（図示せず）を形成し、上記制震部の材質は選択的にポリエチレン（PolyEthylene，ＰＥ）、ポリプロピレン（PolyPropylene，ＰＰ）、ポリスチレン（PolyStyrene，ＰＳ）、ポリエステル樹脂（polyester resin，ＰＥ）、ポリカーボネート（PolyCarbonate，ＰＣ）、ナイロン樹脂（Nylon resin）、フルオロカーボン（Fluorocabon）、ＡＢＳ樹脂（Acrylonitrile-Butadiene-Styrene Resin）、ポリアセタール（Polyacetals）、エポキシ樹脂（Epoxy resin）、不飽和のポリエステル樹脂（unsatuated polyester resin）、ポリウレタン（PolyUrethane，ＰＵ）、熱可塑性エラストマー（Thermoplastic Elastomer，ＴＰＥ）、熱可塑性ポリウレタン（Thermoplastic PolyUrethane，ＴＰＵ）またはその他の高分子弾性材料からなり、特に選択的に熱可塑性ポリウレタン（ＴＰＵ）からなる。その他に、柱状制震部２１３、フランジ制震部２１４と環状制震部２２１はそれぞれ射出成形の方式により収容孔２１２の内、頭部２１の底部と桿部２２の外周縁などの部位に形成される。さらに、フランジ制震部２１４と環状制震部２２１は重り２の少なくとも一個の結合表面に形成され、上記結合表面はヘッド本体１の組立孔１１に対応するように形成される。
【００１８】
図１、２を参照すると、本考案の実施例のゴルフクラブヘッドの制震構造を組み立てる時、適当な組立工具（例えば螺設工具）を利用して重り２の解栓部２１１に挿入し、重り２をヘッド本体１に結合させる。例えば、重り２の環状制震部２２１の外ねじ（図示せず）をヘッド本体１の組立孔１１の内ねじ（図示せず）に螺設して結合させることにより、ヘッド本体１と重り２は共同でゴルフクラブヘッドを組成することができる。
【００１９】
再び図１、２を参照すると、本考案の実施例のゴルフクラブヘッドを利用して打球を行う時、重り２の制震部（すなわち柱状制震部２１３、フランジ制震部２１４と環状制震部２２１）の内に少なくとも一個はヘッド本体１の組立孔１１の結合表面上に相対して形成されることにより、上記制震部により打球の振動を吸収することができるため、打球の異音を相対的に減らすことができる。その他に、重り２と複数個の柱状制震部２１３との間には相対的に比較的大きい接触面積が形成されるため、全体の制震の効果と結合の強度を相対的に高めることができる。また、ヘッド本体１と重り２の結合表面はフランジ制震部２１４、環状制震部２２１と部分的な柱状制震部２１３の少なくとも一個を含むため、制震の能力を相対的に高めると共に、さらに打球の異音を減らすことができる。その他に、頭部２１の収容孔２１２が異なる孔径を選択して使用することにより、さらに頭部２１の表面に露出する柱状制震部２１３は異なる色を選択して使用することにより、外観上の視覚効果の変化を提供することができるため、ゴルフクラブヘッドの外観を美化することができる。さらに、重り２と制震部（図示せず）が適当な比重を有する材質を選択することにより、同時に適当に重り２の設置部位を選択することにより、本考案のゴルフクラブヘッドの全体の重心位置を調整することができるため、打球時の慣性モーメント（moments of inertia，ＭＯＩ）を増やすことができる。その他に、重り２は選択的に取り外しの構造（例えば外ねじと解栓部２１１）を設置することにより、異なった制震と重量配置の効果を有する重り２を迅速に取り替えることができるため、組立の便利性と使用の自由度を相対的に高めることができる。
【産業上の利用可能性】
【００２０】
上述の如く、従来のゴルフクラブヘッドの制震構造によれば、その打球の振動は直接組立孔の内表面から抵抗部材の桿部と頭部の外表面まで伝送されることにより、打球の異音と打球の振動が生じてしまうなどの問題点があったが、図１に示す本考案のゴルフクラブヘッドの制震構造によれば、重り２に複数個の収容孔２１２を形成することにより、柱状制震部２１３を収容し、さらに重り２の頭部２１の底部と桿部２２の外周縁にはそれぞれフランジ制震部２１４と環状制震部２２１が形成されることにより、確実に重り２の結合表面において少なくとも一個の制震部を提供することができるため、打球の異音が生じるのを避けることができると共に、制震の効果を相対的に増やし、さらに組立の便利性、重量配置の自由度と装飾性を相対的に高めることができる。
【００２１】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２２】
【図１】本考案の実施例のゴルフクラブヘッドの制震構造がウッド型ヘッドに応用される場合の分解斜視図である。
【図２】本考案の実施例のゴルフクラブヘッドの制震構造がアイアン型ヘッドに応用される場合の分解斜視図である。
【図３】本考案の実施例のゴルフクラブヘッドの制震構造の重りによる斜視図である。
【図４】本考案の実施例のゴルフクラブヘッドの制震構造の重りによる断面図である。
【符号の説明】
【００２３】
１    ヘッド本体                    １１    組立孔
２    重り                          ２１    頭部
２１１    解栓部                      ２１２    収容孔
２１３    柱状制震部                  ２１４    フランジ制震部
２２    桿部                        ２２１    環状制震部
【図１】
0003133243.tif 000003
【図２】
0003133243.tif 000004
【図３】
0003133243.tif 000005
【図４】
0003133243.tif 000006